(57)【要約】【課題】ブレスと並べて手摺を設けることにより足場板上の作業者の安全を図れる枠組足場を提供すること。【解決手段】平行に配置した伸縮自在な上側ロッド８と伸縮自在な下側ロッド９との間に複数の連結材１０を回転自在に枢着して平行四辺形状の折り畳み自在な手摺１４を設け、上側ロッドと下側ロッドとの各両側に設けた取付具１２，１３を介してそれぞれ各上側ロッドと下側ロッドを建枠に着脱自在に結合してブレスと並べて手摺を配設したことを特徴とする。【選択図】　　　　図１
2004092337.tif 000002
【特許請求の範囲】
【請求項１】
前後一対の縦材と、縦材間に架設された水平材とで縦枠を構成し、横方向に相対向して起立した少なくとも二つの縦枠間にＸ字状にクロスするブレスと水平な足場板を架設している枠組足場に於て、並行に配置された伸縮自在な上側ロッドと伸縮自在な下側ロッドとの間に複数の連結材を回転自在に枢着して平行四辺形状の折り畳み自在な手摺を設け、上側ロッドと下側ロッドとの各両側に設けた取付具を介してそれぞれ各上側ロッドと下側ロッドを縦材に着脱自在に結合してブレスと並べて手摺を配設したことを特徴とする枠組足場。
【請求項２】
上側ロッド両側に設けた取付具が上側ロッドの端部に結合した支持片と、この支持片に直角方向に一体に連設したフック片と、フック片の側面に設けたガイドと、ガイド内に挿入した楔とで構成され、楔をガイド内に打ち込んでこの楔とフック片とで縦材を挟持させることを特徴とする請求項１の枠組足場。
【請求項３】
上側ロッドと下側ロッドとがそれぞれアウターチューブとアウターチューブ内にスライド自在に挿入したインナーチューブと、アウターチューブに長手方向に沿って形成した長孔と、インナーチューブに設けられて上記長孔内に移動自在に嵌入するガイドピンとで構成されている請求項１又は２の枠組足場。
【発明の詳細な説明】
【０００１】
【発明の属する技術分野】
本発明は、建築工事現場や土木工事現場などで使用される枠組足場に関し、特に、手摺をブレスと並設した安全な枠組足場に関する。
【０００２】
【従来の技術】
一般に、建築工事現場や土木工事現場などでは、作業位置に対応してビディ足場と称する枠組足場が設置され、この枠組足場上で作業者が歩行し、作業を行なう。
【０００３】
この枠組足場は、前後の縦材と、縦材間に架設された水平材と、各縦材の上方に設けた手摺枠とで建枠を構成し、この建枠を横方向に相対向して多数起立し、隣接する建枠間には水平材を介して足場板を架設し且つ縦材に設けたピンを介してＸ字状のブレスを架設して構成されている。
【０００４】
【特許文献１】
特許第２６２６９６０号
【特許文献２】
実開平６−３２５７５号
【０００５】
【発明が解決しようとする課題】
上記従来の枠組足場では、建枠間に横方向に向けてブレスを設けているので、足場板で諸作業を行なったり、歩行する際に、一応このブレスが手摺の機能を果たしている。
【０００６】
しかしながら、このブレスは、Ｘ字状に形成されていることから、このブレスの上方と下方には大きな空間が形成され、この空間から作業者が落下する危険がある。
【０００７】
【課題を解決するための手段】
上記の目的を達成するため、本発明の一つの手段は、前後一対の縦材と、縦材間に架設された水平材とで建枠を構成し、横方向に相対向して起立した少なくとも二つの建枠間にＸ字状にクロスするブレスと水平な足場板を架設している枠組足場に於て、平行に配置された伸縮自在な上側ロッドと伸縮自在な下側ロッドとの間に複数の連結材を回転自在に枢着して平行四辺形状の折り畳み自在な手摺を設け、上側ロッドと下側ロッドとの各両側に設けた取付具を介してそれぞれ各上側ロッドと下側ロッドを建材に着脱自在に結合したブレスと並べて手摺を配設したことを特徴とするものである。
【０００８】
この場合、上側ロッドの両側に設けた取付具が上側ロッドの端部ら結合した支持片と、この支持片に直角方向に一体に連設したフック片と、フック片の側面に設けたガイドと、ガイド内に挿入した楔とで構成され、楔をガイド内に打ち込んでこの楔とフック片とで縦材を挟持させるようにするのが好ましい。
【０００９】
同じく、上側ロッドと下側ロッドとがそれぞれアウターチューブとアウターチューブ内にスライド自在に挿入したインナーチューブと、アウターチューブに長手方向に沿って形成した長孔と、インナーチューブに設けられて上記長孔内に移動自在に嵌入するガイドピンとで構成されていても良い。
【００１０】
【発明の実施の形態】
以下、本発明の実施形態を図に基づいて説明するが、図１乃至図６は、本発明の一実施形態に係る枠組足場と手摺の構造を示す。
【００１１】
図１に示す枠組足場Ａは、従来の枠組足場と同じく前後一対の縦材１，１と、縦材１間に架設された水平材２と、縦材１に設けた手摺枠３とで建枠４を構成して、横方向に相対向して起立した少なくとも二つの建枠４，４間にピン５を介してＸ字状のブレス６を取付けると共に水平材２を介して足場板７を架設しているものである。
【００１２】
更に詳しく述べると、本発明では、上記のように、前後一対の縦材１，１と、縦材１間に架設された水平材２とで建枠４を構成し、横方向に相対向して起立した少なくとも二つの建枠４，４間にＸ字状にクロスするブレス６と水平な足場板７を架設している枠組足場Ａに於て、この枠組足場Ａに折り畳み自在な手摺１４を配設したものである。
【００１３】
即ち、本発明は、平行に配置された伸縮自在な上側ロッド８と伸縮自在な下側ロッド９との間に複数の連結材１０，１０を軸１１を介して回転自在に枢着して平行四辺形状の折り畳み自在な手摺１４を設け、上側ロッド８と下側ロッド９との各両側に設けた取付具１２，１３を介してそれぞれ各上側ロッド８と下側ロッド９を縦材１に着脱自在に結合してブレス６と並べて手摺１４を配設したことを特徴とするものである。
【００１４】
上側ロッド８は、図２に示すように、水平部８ａと両サイドの傾斜部８ｂとで構成されている。
【００１５】
そして、水平部８ａは、図５（Ａ），（Ｂ）に示すようにアウターチューブａとアウターチューブａ内にスライド自在に挿入するインナーチューブｂとアウターチューブａに長手方向に沿って形成した長孔ｃと、インナーチューブｂに設けられて長孔ｃ内に移動自在に嵌入するガイドピンｄとで構成されている。
【００１６】
アウターチューブａは、一方のロッドに溶接とで結合された短いチューブで形成されているが、一方のロッド全体をアウターチューブとして形成しても良い。
【００１７】
上側ロッド８の両側に設けた取付具１２は、図６に示すよに、上側ロッド８の両端部に結合した支持片１５と、この支持片１５に直角方向に一体に連設したフック片１６と、フック片１６の側面に設けたガイド１７と、ガイド１７内に挿入した楔１８とで構成され、楔１８をガイド１７内に打ち込んでこの楔１８とフック片１６とで縦材１を挟持する。
【００１８】
下側ロッド９は、水平部９ａと両側の傾斜部９ｂとからなり、水平部は、図５と同じくアウターチューブａとインナーチューブｂと長孔ｃとガイドピンｄとを備えて全体が伸縮できるようになっている。
【００１９】
両側の取付具１３は、図３，図４に示すように、偏平につぶした取付片と取付片に形成したピン挿入孔１３ａとで構成されている。
【００２０】
手摺１４は、連結材１０，１０が上側ロッド８と下側ロッド９に回転自在に結合されて平行四辺形状となっているから、図４に示すように、軸１１からなる枢支点を中心にして矢印Ｙに示すように回動することにより折り畳める。
【００２１】
従って、手摺１４の建枠４に対する着脱時や搬送、格納時には折り畳んでおくこともできる。
【００２２】
手摺１４を取り付ける場合には、先ず、例えば、親網等を介して支えられながら作業者が一段目の足場板上で二段目の縦材１の組立て、ブレス６の取付け作業を行なう。
【００２３】
次に、他の作業者から又はクレーン等で折り畳まれた状態の手摺１４を引渡された後、この手摺１４を拡げながら建枠４に結合させる。
【００２４】
手摺１４が設置された以後はこの手摺１４によって安全に足場板７上で諸作業を行なうことができる。
【００２５】
この場合、横方向に隣接する二つの縦材１，１間の距離に合わせて上下のロッド８，９を伸長又は圧縮して長さ調整する。
【００２６】
次いで、上側ロッド８の両端を取付具１２を介して両方の縦材１にそれぞれ係合させ、楔１８の打ち込みで縦材１に結合させる。
【００２７】
更に、下側ロッド９の両側は取付具１３のピン挿入孔１３ａに挿入したピン又はボルトを介して縦材１に取付け、ピンは、縦材１にあらかじめ設けたものを利用するのが好ましい。
【００２８】
【発明の効果】
本発明によれば、次の効果がある。
【００２９】
１）各請求項の発明によれば、建枠間にブレスと並べて手摺が架設されているので、この手摺がブレスに形成されている隙間を遮断し、これによりこの手摺につかまって作業者が歩行し、諸作業を行うので安全である。
【００３０】
更に、手摺は、取付具を介して縦材に引掛けられ又嵌合していると共に横方向の動きが規制されているので落下したり振動するのが防止される。
【００３１】
２）同じく、手摺は、折り畳み自在に構成されているから、搬送、格納、着脱操作の向上が図れる。
【００３２】
３）同じく、上側ロッドと下側ロッドが伸縮自在に構成されてしるから、手摺を取付ける一対の縦材間の距離に合せて任意に長さ調整できる。
【図面の簡単な説明】
【図１】本発明の一実施の形態に係る枠組足場の正面図である。
【図２】図１の上側ロッドの平面図である。
【図３】図１の下側ロッドの平面図である。
【図４】折り畳んだ状態の手摺の正面図である。
【図５】（Ａ）上側ロッドの一部拡大縦断平面図である。
（Ｂ）上側ロッドの一部拡大正面図である。
【図６】上側ロッドの取付部の拡大平面図である。
【符号の説明】
１　縦材
２　水平材
４　建枠
６　ブレス
７　足場板
８　上側ロッド
９　下側ロッド
１０　連結材
１２，１３　取付具
１３ａ，１５　支持片
１３ｂ　フック片
１４　手摺
１６　フック片
１７　ガイド
１８　楔
ａ　アウターチューブ
ｂ　インナーチューブ
ｃ　長孔
ｄ　ガイドピン
【図１】
2004092337.tif 000003
【図２】
2004092337.tif 000004
【図３】
2004092337.tif 000005
【図４】
2004092337.tif 000006
【図５】
2004092337.tif 000007
【図６】
2004092337.tif 000008